(57)【要約】      （修正有）【課題】蓋体から注入管が簡単に分離されることを防止し、更には、蓋体と注入管との間で発生する振動及び騒音を減らすことができる、ミキサーの注入管の連結装置を提供する。【解決手段】蓋体１０に形成された注入穴１１に結合される、注入管２０を有する。蓋体１０の上面には、注入穴１１と同じ内面を有する延長突出部１５１と、延長突出部１５１の上端に形成された段差１５２と挿入突出部１５３と、を有する挿入端部１５が一体に形成される。注入管２０の下端部には、挿入端部を内部に収容し、延長突出部１５１の外面に形成された第１の突出スリーブ２５１と、延長突出部１５１の内面と同じ内面を有するとともに、段差１５２に末端が支持される第２の突出スリーブ２５２と、その間に挿入される挿入突出部１５３を固定するためにテーパ状に形成された挿入溝２５３と、を有するソケット端部２５が一体に形成される。【選択図】図４
0003180163.tif 000002
【実用新案登録請求の範囲】
【請求項１】
蓋体に形成された注入穴に結合され、ミキサーの粉砕作動中に容器の内部に食物を供給するための注入管を有する、ミキサーの注入管の連結装置であって、
前記蓋体の上面には、前記注入穴の内面と同じ内面を有するとともに、上部へ延長形成された延長突出部と、該延長突出部の末端において前記内面から外側に向けて形成された段差と、前記延長突出部の末端から上部へ延長形成された挿入突出部と、を有する挿入端部が一体に形成され、
前記注入管の下端部には、前記挿入端部を内部に収容し、前記延長突出部の外面を囲むように下部へ延長形成された第１の突出スリーブと、前記延長突出部の内面と同じ内面を有するとともに、前記段差に末端が支持される第２の突出スリーブと、第１の突出スリーブと第２の突出スリーブとの間に形成され、その間に挿入される前記挿入突出部を固定するためにテーパ状に形成された挿入溝と、を有するソケット端部が一体に形成されたことを特徴とするミキサーの注入管の連結装置。
【請求項２】
前記注入管には、前記蓋体と結合される管部と、食物が盛られるホッパー部とが一体に形成され、
前記ホッパー部と連結される前記管部の上段の内面には、注入棒を固定結合するための複数の突起が形成されたことを特徴とする請求項１に記載のミキサーの注入管の連結装置。
【考案の詳細な説明】
【技術分野】
【０００１】
本考案は、ミキサーに関し、より詳細には、ミキサー内部での食物の粉砕作業中に食物を継続的に供給するためにミキサーの蓋体に設けられる注入管の連結装置に関する。
【背景技術】
【０００２】
ミキサーは、果物、野菜、穀物等をみじん切り、混合、粉砕（以下、説明の便宜上、「粉砕」と略称する）し、その加工物を食べるための電子機器である。
【０００３】
図１は、従来のミキサーの一例を示す図面である。図１に示されたように、ミキサーは、モーターＭが内蔵された本体１と、粉砕刃３が設けられた容器２と、容器２に脱着可能に設けられ、容器２を密閉する蓋体４を含む。
【０００４】
このようなミキサーは、粉砕刃３を回転させて容器２の内部に収容された食物を粉砕し、粉砕されたカスはこし網２２の内部に残り、こし網２２を通過した加工物は、容器２の一方側に設けられた排出部２１を通じて外部へ排出される。
【０００５】
また、蓋体４の中央には、容器２の内部と連通する注入穴４１が形成され、注入穴４１に挿通する注入管５を有する。食物の粉砕作業中に注入管５を通じて、容器２内部に新しい食物を継続的に供給することで、加工物を続けて得ることができる。一方、食物類型及び加工類型によっては、注入管５を通して食物を継続的に供給しない場合もあり、この際には、注入棒３０（図３参照）を利用して蓋体４の注入穴４１を閉鎖した状態でミキサーを作動することになる。
【０００６】
図２は、本出願人の韓国特許出願であって、現在登録されている韓国特許第１０１１６６９号の代表図である。図２には、容器の内部に挿入される管型部１２と、蓋体４の上部に配置され、食物が収容されるホッパー部１１とを有し、ミキサーの蓋体に設けられる注入管が開示されている。管型部１２の内面には、粉砕中の食物が上部へ逆流することを防止し、ホッパー部１１に収容された食物が容器２の内部へ直ちに落ちることを防ぐための傾斜型材料供給手段１３（１３１，１３２）が設けられている。
【０００７】
しかし、図２に示された従来の注入管は次のような問題点がある。
【０００８】
まず、ミキサーは、モーターＭに連結され高速で回転する粉砕刃３による食物の粉砕作業に伴って強い振動と騒音が発生する。従来のように、ミキサーの蓋体４に形成された注入穴４１に単に注入管５を挿通した状態でミキサーを作動すると、蓋体４と注入管５との遊びによって振動と騒音が発生してしまい、使用感が良くない原因となる。
【０００９】
また、従来の注入管５及び注入棒は、別途の固定手段を設けず、単に蓋体４の注入穴４１に結合するため、ミキサーの未使用時には、蓋体を含むミキサー本体から分離され、紛失しやすいなど、管理上問題がある。
【００１０】
また、従来の注入管５は、蓋体４の注入穴４１に挿入された端部が容器２の内部に位置するため、粉砕中の食物によって容易に汚れてしまうおそれがある。
【００１１】
また、従来の注入管５は、別途の固定手段を設けず、蓋体４に形成された注入穴４１の外縁部に注入管５の一部が載せられる結合構造であるため、予期せぬ外力がミキサーあるいは注入管５に加わった場合、注入管５が蓋体４から容易に分離される。よって、蓋体４の注入穴４１を通じて高速回転中の粉砕刃３が露出してしまい、例えば、危険性が認識できない幼児が注入穴４１の中に手を入れた場合、致命的な怪我をもたらすおそれもある。
【００１２】
一方、注入管５は、一般に、果物、野菜、穀物等を予め切断したものを容易に供給するために、所定の内径（例えば、６０乃至８０ｍｍ）を有するように形成される。よって、注入管５の大きさに従って蓋体４の中央部に注入穴４１を形成するためには、少なくとも、注入管５の外径よりも大きい内径（少なくとも、６０乃至８０ｍｍ以上）を有する穴を形成する必要がある。
【００１３】
上記した注入管の結合構造を有するミキサーを使用するにおいて、やむを得ず注入管５を分離した状態でミキサーを作動すると、危険性が認識できない幼児の手が注入穴４１を通じて容器の内部に入れるなど、安全上大きな問題がある。
【先行技術文献】
【特許文献】
【００１４】
【特許文献１】韓国特許第１０１１６６９号公報
【考案の概要】
【考案が解決しようとする課題】
【００１５】
本考案は、上記した従来技術の問題点を解決するために工夫したものであり、ミキサーの蓋体に形成された注入穴と注入管との遊びをなくして堅固な結合状態を維持することで、粉砕中、予期せぬ外力によって蓋体から注入管が簡単に分離されることを防止し、更には、蓋体と注入管との間で発生する振動及び騒音を減らすことができる、ミキサーの注入管の連結装置を提供することを課題とする。
【００１６】
本考案は、ミキサーの蓋体、注入管及び注入棒に対する固定結合手段を提供することで、ミキサーの運搬中あるいは未使用中に保管を容易にし、部品の紛失を防止することができる、ミキサーの注入管の連結装置を提供することを他の課題をする。
【００１７】
本考案は、蓋体に形成された注入穴と同じ内径を有する注入管を設けて、蓋体の上面に注入管の下段部を直接結合することで、幼児の手が入れない大きさを有して安全性を確保した注入穴を形成し、注入管の下段部が容器の内部に位置しないようにすることで、注入管を常にきれいな状態に維持することができる、ミキサーの注入管の連結装置を提供することを更に他の課題をする。
【課題を解決するための手段】
【００１８】
上記課題を解決するために、本考案は、蓋体に形成された注入穴に結合され、ミキサーの粉砕作動中に容器の内部に食物を供給するための注入管を有する、ミキサーの注入管の連結装置であって、前記蓋体の上面には、前記注入穴の内面と同じ内面を有するとともに、上部へ延長形成された延長突出部と、該延長突出部の末端において前記内面から外側に向けて形成された段差と、前記延長突出部の末端から上部へ延長形成された挿入突出部と、を有する挿入端部が一体に形成され、前記注入管の下端部には、前記挿入端部を内部に収容し、前記延長突出部の外面を囲むように下部へ延長形成された第１の突出スリーブと、前記延長突出部の内面と同じ内面を有するとともに、前記段差に末端が支持される第２の突出スリーブと、第１の突出スリーブと第２の突出スリーブとの間に形成され、その間に挿入される前記挿入突出部を固定するためにテーパ状に形成された挿入溝と、を有するソケット端部が一体に形成されたことを特徴とするミキサーの注入管の連結装置を提供する。
【考案の効果】
【００１９】
本考案によると、蓋体に形成された挿入端部に向かってユーザが若干の力で注入管を垂直加圧することで、蓋体と注入管との堅固な結合状態を維持することができ、注入管の結合及び分離が容易になる。特に、蓋体と注入管との堅固な結合状態を維持できるため、粉砕中の注入管と蓋体との結合構造から発生する振動及び騒音を大きく減らすことができる。また、未使用中のミキサーから分離され、別途で保管する必要があった注入管と注入棒をミキサーの蓋体上に結合した状態で保管又は運搬することができ、部品の紛失を防止し、管理上の便宜を図ることができる。
【図面の簡単な説明】
【００２０】
【図１】図１は、従来のミキサーの一例を示す図面である。
【図２】図２は、従来のミキサーにおける注入管の連結装置を示す図面である。
【図３】図３は、本考案による注入管の連結装置が適用されたミキサーの斜視分解図である。
【図４】図４は、本考案による注入管の連結装置の分離状態を示す断面図である。
【図５】図５は、本考案による注入管の連結装置の結合状態を示す断面図である。
【考案を実施するための形態】
【００２１】
以下、添付の図面を参照しながら、本考案の実施形態について説明する。また、本考案を説明するにおいて、関連する公知機能又は公知構成に関する具体的な説明が本考案の要旨の理解の妨げになると判断される場合は、その詳細な説明を省略する。
【００２２】
図３は、本考案による注入管の連結装置が適用されたミキサーの斜視分解図である。図３を参照すると、ミキサーは、モーターが内蔵された本体１と、本体１と結合され、それに装着される粉砕刃３の回転軸がモーターの駆動軸と結合される容器２と、容器２の上段に脱着可能に結合される蓋体１０を含む。このようなミキサーは、粉砕刃３を回転させて容器２の内部に収容された食物を粉砕し、粉砕されたカスはこし網４の内部に残り、こし網４を通過した加工物は容器２の一方側に設けられた排出部５を通じて外部へ排出される。
【００２３】
このように、粉砕中であっても、排出部５を通じて加工物を継続的に排出することができるため、蓋体１０を分離せず、蓋体１０に形成された注入穴１１に注入管２０を結合して新しい食物を継続的に供給することができる。
【００２４】
つまり、本考案による注入管の連結装置は、蓋体１０と注入管２０との結合構造を改良したことが一つの特徴である。
【００２５】
図４は、本考案による注入管の連結装置の分離状態を示す断面図であり、図５は、本考案による注入管の連結装置の結合状態を示す断面図である。
【００２６】
図４及び５を参照すると、蓋体１０の上面には、挿入端部１５が一体に形成されており、挿入端部１５は、注入穴１１の内面と同じ内面を有するとともに、上部へ延長形成された延長突出部１５１と、延長突出部１５１の末端において内面から外側に向けて形成された段差１５２と、延長突出部１５１の末端から上部へ延長形成された挿入突出部１５３と、を有する。図示されたように、挿入突出部１５３の内面は、延長突出部１５１の内面よりも外側に形成される。
【００２７】
一方、注入管２０の下端部には、ソケット端部２５が一体に形成されており、ソケット端部２５は、挿入端部１５を内部に収容し、延長突出部１５１の外面を囲むように下部へ延長形成された第１の突出スリーブ２５１と、延長突出部１５１の内面と同じ内面を有するとともに、段差１５２に末端が支持される第２の突出スリーブ２５２と、第１の突出スリーブ２５１と第２の突出スリーブ２５２との間に形成され、その間に挿入される挿入突出部１５３を固定するためにテーパ状に形成された挿入溝２５３と、を有する。
【００２８】
すなわち、蓋体１０の上面の中央に形成された挿入端部１５に、注入管２０のソケット端部２５を挿入すると、まず、ソケット端部２５の第１の突出スリーブ２５１が挿入端部１５の延長突出部１５１の外面を垂直に案内し、続いて、挿入端部１５の挿入突出部１５３が第１の突出スリーブ２５１と第２の突出スリーブ２５２との間に形成された挿入溝２５３に挿入され、結合状態（固定状態）になる。
【００２９】
このように、蓋体１０に形成された挿入端部１５に注入管２０が垂直方向に移動するよう、ユーザが若干の力を加えるだけで、蓋体１０と注入管２０とを堅固な結合状態にすることができる。蓋体１０と注入管２０とが固定結合状態になると、粉砕中の注入管２０に伝わる振動による騒音が減らされ、更には、粉砕中に蓋体１０から注入管２０が簡単に分離されることを防止することができる。よって、危険性が認識できない幼児の手が容器の中に入るなどの事故を防止できる。
【００３０】
一方、図４及び５を参照すると、注入管２０は、蓋体１０に直接結合される管部２２と、管部２２に一体に形成され、食物が盛られるホッパー部２１と、管部２２に形成され、管部２２を通じて食物が容器１０の内部に過供給されることを防ぐ傾斜板２３と、を有する。このような注入管２０は、注入棒３０が別途の部品として提供され、ホッパー部２１に盛られた食物を注入棒３０で加圧して管部２２へ移送する。本考案による注入管の連結装置においては、注入管２０と分離された別途の部品である注入棒３０の紛失を防ぐために、ミキサーの未使用時に注入棒３０の外面を固定結合するよう、ホッパー部２１と連結される管部２２の上段の内面に複数の突起２６を形成しても良い。
【００３１】
さらに、注入管２０のソケット端部２５と、蓋体１０の挿入端部１５との挿入結合を容易にするために、第１の突出スリーブ２５１の末端の内面にテーパ状のガイド部２５１０を一体に形成しても良い。
【００３２】
図５に示されたように、ミキサーの未使用時には、蓋体１０の注入穴１１に、注入管２０と注入棒３０とを順次に結合した状態で保管することができ、ミキサーの部品の紛失を防止できる。
【００３３】
以上、本考案に従った望ましい実施形態について説明したが、本考案は、この実施形態に限定されず、本考案の技術分野に属する通常の知識を有する者であれば、本考案の範囲及び要旨を外れずに種々の変形及び変更が可能であることは自明である。
【符号の説明】
【００３４】
１０      蓋体
１１      注入穴
１５      挿入端部
１５１    延長突出部
１５２    段差
１５３    挿入突出部
２０      注入管
２１      ホッパー部
２２      管部
２３      傾斜板
２５      ソケット端部
２５１    第１の突出スリーブ
２５２    第２の突出スリーブ
２５３    挿入溝
【図１】
0003180163.tif 000003
【図２】
0003180163.tif 000004
【図３】
0003180163.tif 000005
【図４】
0003180163.tif 000006
【図５】
0003180163.tif 000007